(57)【要約】    【課題】  カーペット上を拭く清掃作業上、円滑性及び耐久性を備え、保水層に水系液体を保持させた状態で透水層の表側においてカーペット上を拭くことにより、カーペット上に水系液体を供給しつつ、カーペットの汚れや塵等が随伴した水系液体を拭き取ることができるカーペット用清掃材の提供。    【解決手段】  目付が５乃至８０ｇ／ｍ２のスパンボンド不織布状の透水層の裏側に親水性繊維を含む繊維材料からなる吸水性不織布状の保水層を積層する。透水層は、繊維同士がほぼ固定化され毛羽立ちがほとんどなく十分な引張強度を有するものとし、多孔薄膜が形成された小孔である水系液体が透過する厚さ方向の小透過部を満遍なく有する。保水層は吸水性不織布状であり、透水層に保水層を構成する繊維材料の一部が侵入することにより透水層と保水層を結合する。【選択図】      なし【特許請求の範囲】
【請求項１】
目付が５乃至８０ｇ／ｍ２の不織布状又は耐湿潤紙状の透水層の裏側に保水層が積層した清掃材であって、
前記透水層は、少なくとも表側において繊維同士がほぼ固定化され、厚さ方向に水系液体透過性を有しており、
前記保水層は、水系液体を保持すると共に、前記透水層を介してカーペット上にその水系液体を供給しつつカーペットの汚れを吸収するものであり、
前記保水層に水系液体を保持させた状態で前記透水層の表側においてカーペット上を拭くことによりカーペットの汚れを拭き取るためのものであることを特徴とするカーペット用清掃材。
【請求項２】
保水層の両側に透水層が積層した請求項１記載のカーペット用清掃材。
【請求項３】
上記透水層が、水系液体が透過する厚さ方向の小透過部を満遍なく備える請求項１又は２記載のカーペット用清掃材。
【請求項４】
上記小透過部が、多孔薄膜が形成された小孔である請求項３記載のカーペット用清掃材。
【請求項５】
上記透水層が、少なくとも表側において繊維同士がほぼ固定化され、毛羽立ちがほとんどない不織布状又は耐湿潤紙状の層である請求項１乃至４の何れかに記載のカーペット用清掃材。
【請求項６】
上記透水層がスパンボンド不織布からなる層である請求項５記載のカーペット用清掃材。
【請求項７】
保水層が、主に、親水性繊維を含む繊維材料からなるものである請求項１乃至６の何れかに記載のカーペット用清掃材。
【請求項８】
保水層が、吸水性不織布状の層である請求項７記載のカーペット用清掃材。
【請求項９】
透水層に保水層を構成する繊維材料の一部が侵入することにより透水層と保水層が結合した請求項７又は８記載のカーペット用清掃材。
【請求項１０】
請求項１乃至９の何れかに記載のカーペット用清掃材の乾燥重量の２０乃至６０重量％の水系液体を保水層に保持したカーペット用清掃材。
【請求項１１】
水系液体の１０乃至４０重量％がエタノールである請求項１０記載のカーペット用清掃材。
【発明の詳細な説明】
【技術分野】
【０００１】
本発明は、カーペット上を湿潤状態で拭くことによりカーペットの汚れを拭き取るためのカーペット用清掃材に関する。
【背景技術】
【０００２】
従来、清掃部材としての不織布を、柄が連結された不織布保持ヘッドに挟んで保持し、モップのような態様で床面等を拭く清掃具が広く用いられている。
【０００３】
しかしながら、従来のこの種の清掃具により平坦な被清掃面を拭くと、不織布保持ヘッドの底面を覆う不織布のうち、清掃具の移動方向における両端部が集中的に塵埃を拭き取ることとなり、清掃効率の低下が早い傾向があると共に、清掃部材の大部分を有効に利用することなく別の清掃部材への交換を余儀なくされ、清掃部材の消耗を早めることにもなっていた。
【０００４】
また、清掃対象上の塵芥が比較的大きなものとなると、不織布により拭き取られにくくなるので、それを除去するには他の手段が必要となり、作業効率が良くなかった。
【０００５】
特許文献１には、床のしみ汚れ等の除去や床の保護・つや出し等の床の掃除、手入れに際して、家庭用、業務用に用いられ、多量の液体を吸収してもずれたり外れたりすることのない湿式掃除用の清掃シートの発明が開示されている。
【０００６】
すなわち「清掃部と該清掃部に連結された棒状の把手とを具備し、該清掃部にはシートの両側部を嵌合させて保持するシート保持部が設けられている掃除具における、該清掃部の下面を覆って装着される清掃シートであって、液透過性の表面シート、上記清掃部に当接される液不透過性の装着シート及び該表面シートと該装着シートとの間に配された液吸収体を具備し、上記シート保持部の保持力ｘ（ｇ）が１０ｇ以上であり、該保持力ｘと上記装着シートの上記清掃部に装着した時の静摩擦係数ｙ（ｔａｎθ）とが、所定関係式で示される関係にあることを特徴とする清掃シート」である。
【０００７】
しかしながら、その清掃対象は床である。清掃対象に当接すべき表面シートは、耐湿潤紙であるから、カーペットを拭くと、カットパイル等のパイルとの摩擦により短期間で破れてしまう。また、カーペットとの摩擦が大きいため、シート保持部に保持して使用した場合に、引っ繰り返るおそれがあった。
【０００８】
また、従来より一般に用いられる床乾拭き用の不織布の場合、できるだけ塵埃を絡み取り易くするために繊維同士が固定化されておらず、間隙が多く、表面の毛羽立ちも大きい。そのため、カーペットを拭くと、やはりカットパイル等のパイルとの摩擦により短期間で破れたり大きく伸びて使用不能となってしまう。また、カーペットとの摩擦がより大きいため、シート保持部に保持して使用した場合に、強く押さえつけなければ引っ繰り返るおそれがあった。
【０００９】
【特許文献１】特開平９−２５３０１７号公報
【発明の開示】
【発明が解決しようとする課題】
【００１０】
本発明は、従来技術に存した上記のような問題点に鑑み行われたものであって、その目的とするところは、カーペット上を拭く清掃作業上、円滑性及び耐久性を備え、カーペット上を湿潤状態で拭くことにより、カーペットの汚れや塵等を拭き取ることができるカーペット用清掃材を提供することにある。
【課題を解決するための手段】
【００１１】
上記目的を達成する本発明のカーペット用清掃材は、
目付が５乃至８０ｇ／ｍ２の不織布状又は耐湿潤紙状の透水層の裏側に保水層が積層した清掃材であって、
前記透水層は、少なくとも表側において繊維同士がほぼ固定化され、厚さ方向に水系液体透過性を有しており、
前記保水層は、水系液体を保持すると共に、前記透水層を介してカーペット上にその水系液体を供給しつつそれを吸収するものであり、
前記保水層に水系液体を保持させた状態で前記透水層の表側においてカーペット上を拭くことによりカーペットの汚れを拭き取るためのものであることを特徴とする。
【００１２】
このカーペット用清掃材を用い、保水層に水系液体を保持させた状態で、例えば柄付き保持板等の保持体に保持して、透水層の表側においてカーペット上を拭いた場合、裏側に保水層が積層した透水層が、目付が５乃至８０ｇ／ｍ２の不織布状又は耐湿潤紙状の薄い層で、而も厚さ方向に水系液体透過性を有するため、水系液体を保持した保水層は、透水層を介してカーペット上にその水系液体を供給しつつそれを吸収することができる。カーペット上に供給される水系液体には、カーペットの汚れや塵等が溶解又は分散等により随伴した状態となり、そのように汚れや塵等が随伴した水系液体が、透水層を介して保水層により吸収されて拭き取られることになる。但し、水系液体に随伴した塵等の全てが保水層に吸収されるとは限らない。
【００１３】
透水層の少なくとも表側においては、繊維同士がほぼ固定化されているので、カーペット上（例えばカットパイルカーペットにおけるカットパイル上）を拭く場合に、摩擦抵抗が小さく、シート自体又はシートを保持板に保持して拭く場合においてはシートを保持した状態の保持板が、カーペットとの間の摩擦抵抗により引っ繰り返ったり、カーペットとの間の摩擦抵抗によりシートが伸びたり破れたりするという損傷が引き起こされることが防がれる。従って、このカーペット用清掃材は、カーペット上を拭く清掃作業上、円滑性及び耐久性を備える。
【発明の効果】
【００１４】
本発明のカーペット用清掃材は、カーペット上を拭く清掃作業上、円滑性及び耐久性を備え、保水層に水系液体を保持させた状態で透水層の表側においてカーペット上を拭くことにより、カーペット上に水系液体を供給しつつ、カーペットの汚れや塵等が随伴した水系液体を拭き取ることができる。
【発明を実施するための最良の形態】
【００１５】
本発明の実施の形態を説明する。
本発明のカーペット用清掃材は、保水層に、例えば水、重曹電解水等のマイナスイオン水、洗浄剤入りの水溶液、又はその他の水系液体（好ましくは、カーペット汚れを拭き取る上で適した水系液体。乾燥性を良くする上でエタノール等の揮発成分を適量含有させることもできる。）を保持させ、例えば、平面長方形状の保持板に柄が連結されてなる拭掃除具における前記保持板の下面側に、透水層の表側を下向きにして位置させ、端部を保持板の上面側の保持部（例えば複数の弾性舌片の尖端同士の間に端部を保持する保持部）に保持して（又はその他の保持具に保持して）、透水層の表側においてカットパイル・ループパイル等の種々のカーペット上を拭くことによりカーペットの汚れを拭き取るためのものである。
【００１６】
本発明のカーペット用清掃材は、目付が５乃至８０ｇ／ｍ２（好ましくは５乃至２０ｇ／ｍ２）の不織布状又は耐湿潤紙状の透水層の裏側に保水層が積層した清掃材である。なお、保水層の両側に透水層が積層したものとすることもできる。この場合、両透水層の表側においてそれぞれカーペット上を拭くことができる。
【００１７】
上記透水層は、少なくとも表側（好ましくは厚さ方向のほぼ全体）において繊維同士がほぼ固定化されている。透水層を構成する繊維としては、疎水性繊維のみとすることができるが、親水性繊維を含むものであってもよい。
【００１８】
この透水層は、好ましくは、少なくとも表側において繊維同士がほぼ固定化（例えば繊維同士の融着や接着剤による繊維同士の接着による固定化）され、毛羽立ちがほとんどない不織布状又は耐湿潤紙状の層（例えばポリエチレンテレフタレート繊維又はポリプロピレン繊維製の不織布状又は耐湿潤紙状の層）であるものとすることができる。この場合、透水層が、少なくとも表側において繊維同士がほぼ固定化され、毛羽立ちがほとんどないので、カーペット上を拭く場合に、より摩擦抵抗が小さく、カーペット清掃作業上、一層の円滑性及び耐久性を備える。摩擦抵抗を減少させる上でフッ素樹脂繊維を用いることもできる。
【００１９】
この透水層は、スパンボンド不織布（例えばポリエチレンテレフタレート繊維製、又はポリプロピレン繊維製）からなる層であるものとすることができる。この場合、繊維同士が絡まった状態で熱プレスにより融着固定化し、毛羽立ちがほとんどないので、カーペット上を拭く場合に摩擦抵抗が小さく、カーペット清掃作業上、一層の円滑性及び耐久性を備える。このようなスパンボンド不織布の例としては、ポリエチレンテレフタレート又はポリプロピレン繊維製の各種目付のスプリトップ（日本不織布株式会社製のスパンボンド不織布の商品名）を挙げることができる。透水層を構成し得る他の不織布としては、例えば、強い熱プレスを施したサーマルボンド不織布やエアレイド不織布を挙げることができる。
【００２０】
また、上記透水層は、厚さ方向に水系液体透過性を有するものである。
【００２１】
例えば、透水層は、水系液体が透過する厚さ方向の小透過部を満遍なく備えるものとすることができる。この場合、透水層に満遍なく設けられた厚さ方向の小透過部を主に介して水系液体が厚さ方向に透過する。
【００２２】
またこの小透過部は、多孔薄膜が形成された小孔であるものとすることができる。この場合、透水層に満遍なく設けられた厚さ方向の小孔である小透過部における多孔薄膜を主に介して水系液体が厚さ方向に透過する。なお、小透過部は貫通孔とすることもできる。
【００２３】
上記保水層は、水系液体を保持すると共に、透水層を介してカーペット上にその水系液体を供給しつつそれを吸収するものである。
【００２４】
この保水層は、主に、親水性繊維（例えば、レーヨン繊維、綿繊維等）を含む繊維材料からなるものとすることができる。疎水性繊維等の親水性繊維以外の繊維を含んでいてもよい。目付は、例えば２０乃至２００ｇ／ｍ２（好ましくは３０乃至８０ｇ／ｍ２）とすることができる。
【００２５】
このような保水層は、吸水性不織布状の層であるものとすることができる。このような吸水性不織布としては、例えば、レーヨン７０乃至１００重量％、ポリエステル３０乃至０重量％の不織布を挙げることができる。
【００２６】
また、透水層に保水層を構成する繊維材料の一部が侵入することにより透水層と保水層が結合したものとすることができる。
【００２７】
なお、保水層としては、親水性繊維を含む繊維からなる綿や紙、或は高分子吸収材料を用いることもできる。
【００２８】
本発明のカーペット用清掃材は、保水層に前記のような水系液体を保持させたものとすることができる。保水層に保持させる水系液体の量は、例えばカーペット用清掃材の乾燥重量の２０乃至６０重量％とすることができ、３０乃至４０重量％程度が好ましい。また、乾燥性を良くする上で水系液体にエタノールを含有させる場合、例えば水系液体の１０乃至４０重量％含有させることができる。好ましくは３０乃至４０重量％である。
【００２９】
本発明のカーペット用清掃材は、２００ｇの角パイプ（縦７０ｍｍ×横８０ｍｍ×高さ３０ｍｍ）に本発明のカーペット用清掃材（５ｇ）を装着し、その透水層の表側を下面として下記仕様のカーペット（商品名：ロンステップ  山崎産業株式会社製）のカットパイル上を水平方向に引いて測定した最大引張荷重と全重量２０５ｇから算出した摩擦係数が、１．４以下（好ましくは１．０以下。より好ましくは０．８以下。）であるものとすることができる。
【００３０】
カーペットの仕様
素材：ナイロン
番手：１３００デニール／６８フィラメント×２プライ
目付：４７０ｇ／ｍ２
パイル長：７ｍｍ（カットパイル）
ゲージ：５インチ当り３２本針（ピッチ３．９６ｍｍ）
機種：レベルカット
バッキング：ポリ塩化ビニル